(57)【特許請求の範囲】
【請求項１】
円弧状に曲げられた電線に取り付けることができる鳥害防止具（１０）であって、
前記電線を通して挿入させるための開口部（１１ａ）が形成されたリング状の取付部材（１１）と、
該取付部材の上面部に間隔をもって取り付けられた複数本の針状部材（１２）と、
前記取付部材の下面部に取り付けられた、かつ、絶縁ヤットコで把持して間接活線作業により前記鳥害防止具を前記電線に取り付けるための板状部材（１３）と、
を具備することを特徴とする、鳥害防止具。
【請求項２】
前記開口部が前記取付部材の斜め下側に形成されていることを特徴とする、請求項１記載の鳥害防止具。
【請求項３】
前記板状部材が逆台形状の形状を有し、
該板状部材の表面および裏面が凹凸面とされている、
ことを特徴とする、請求項１または２記載の鳥害防止具。
【請求項４】
前記針状部材に、テグス取付部材（１４）が取り付けられており、
該テグス取付部材に、テグス（２０）の端部を巻き付けたのちに挿入することにより該テグスが解けることを防止するための切れ目（１４ａ）が形成されている、
ことを特徴とする、請求項１乃至３いずれかに記載の鳥害防止具。
【請求項５】
前記テグス取付部材が前記針状部材の長手方向に沿って間隔をもって複数個取り付けられていることを特徴とする、請求項４記載の鳥害防止具。
【請求項６】
前記電線が縁廻り電線（１）であり、
前記鳥害防止具が前記縁廻り電線の長手方向に沿って間隔をもって複数個取り付けられる、
ことを特徴とする、請求項１乃至５いずれかに記載の鳥害防止具。
【請求項７】
前記電線が縁廻り電線（１）であり、
前記鳥害防止具が前記縁廻り電線の長手方向に沿って間隔をもって少なくとも２個取り付けられ、
該少なくとも２個の鳥害防止具の隣接する２個の鳥害防止具間に、少なくとも１本の前記テグスが張られる、
ことを特徴とする、請求項５記載の鳥害防止具。
【発明の詳細な説明】
【技術分野】
【０００１】
本発明は、縁廻り電線のような円弧状に曲げられた電線に取り付けるのに好適な鳥害防止具に関する。
【背景技術】
【０００２】
電力会社では、電柱上部の高圧腕金へのカラスの営巣や渡り鳥などが電線に止まって生じる糞害などを防止するために、様々な鳥害防止具を使用している。
【０００３】
従来、電線に取り付けるための鳥害防止具として、たとえば、下記の特許文献１には、電線に遊びのある状態で嵌まる２つの環状の取付部と、２つの取付部間に架設されるバー材、電線の上方に配置されて電線へ鳥がとまるのを防止するコイルバネおよび電線の下方に配置される錘を備える鳥害防止具と、電線との間に遊びを有するとともに電線に沿って並設された２つの鳥害防止具を電線回りの個別の回転を妨げることなく連結する連結具とを具備する鳥害防止装置が開示されている。
また、樹脂性の帯状体の表面に多数本の樹脂性のトゲを取り付けて電線に巻き付けて使用する鳥害防止用品が株式会社イワブチから販売されている。
【先行技術文献】
【特許文献】
【０００４】
【特許文献１】特開２００８−１７３０３２号公報
【発明の概要】
【発明が解決しようとする課題】
【０００５】
しかしながら、上記の特許文献１に開示された鳥害防止装置は、電線の直線部分に取り付けて使用するには効果的であるが、鳥害防止具の長さが５０ｃｍ程度であるため、電柱に架設された電線に電柱を跨いで接続される縁廻り電線１（図２（ａ）参照）のように円弧状に曲げられた電線には取り付けることが難しいという問題がある。
また、上述した株式会社イワブチから販売されている鳥害防止用品は、直接活線作業により縁廻り電線１に取り付けることはできるが、間接活線作業により縁廻り電線１に取り付けることができないという問題があった。
さらに、従来の鳥害防止具は、電線の直線部分であっても、電線接続部が存在すると、接続部カバー２（図２（ａ）参照）と碍子などの他物との間隔が狭い場合には取り付けることができないという問題があった。
【０００６】
本発明の目的は、円弧状に曲げられた電線にも間接活線作業により容易に取り付けることができる鳥害防止具を提供することにある。
【課題を解決するための手段】
【０００７】
本発明の鳥害防止具は、円弧状に曲げられた電線に取り付けることができる鳥害防止具（１０）であって、前記電線を通して挿入させるための開口部（１１ａ）が形成されたリング状の取付部材（１１）と、該取付部材の上面部に間隔をもって取り付けられた複数本の針状部材（１２）と、前記取付部材の下面部に取り付けられた、かつ、絶縁ヤットコで把持して間接活線作業により前記鳥害防止具を前記電線に取り付けるための板状部材（１３）とを具備することを特徴とする。
ここで、前記開口部が前記取付部材の斜め下側に形成されていてもよい。
前記板状部材が逆台形状の形状を有し、該板状部材の表面および裏面が凹凸面とされていてもよい。
前記針状部材に、テグス取付部材（１４）が取り付けられており、該テグス取付部材に、テグス（２０）の端部を巻き付けたのちに挿入することにより該テグスが解けることを防止するための切れ目（１４ａ）が形成されていてもよい。
前記テグス取付部材が前記針状部材の長手方向に沿って間隔をもって複数個取り付けられていてもよい。
前記電線が縁廻り電線（１）であり、前記鳥害防止具が前記縁廻り電線の長手方向に沿って間隔をもって複数個取り付けられてもよい。
前記電線が縁廻り電線（１）であり、前記鳥害防止具が前記縁廻り電線の長手方向に沿って間隔をもって少なくとも２個取り付けられ、該少なくとも２個の鳥害防止具の隣接する２個の鳥害防止具間に、少なくとも１本の前記テグスが張られてもよい。
【発明の効果】
【０００８】
本発明の鳥害防止具は、以下に示す効果を奏する。
（１）縁廻り電線のような円弧状に曲げられた電線にも間接活線作業により容易に取り付けることができる。
（２）カラスの営巣による停電事故を抑制することができる（信頼度の向上）。
（３）鳥害防止具を縁廻り電線に取り付ける際の直接活線を抑制することができる（安全性の向上）。
【図面の簡単な説明】
【０００９】
【図１】本発明の一実施例による鳥害防止具１０の構成を示す図であり、（ａ）は鳥害防止具１０の右側面図であり、（ｂ）は針状部材１２の斜視図であり、（ｃ）は板状部材１３の左側面図および正面図である。
【図２】図１に示した鳥害防止具１０の縁廻り電線１への取付方法について説明するための図であり、（ａ）は５個の鳥害防止具１０を縁廻り電線１へ取り付けた状態を示す図であり、（ｂ）は４個の鳥害防止具１０を縁廻り電線１へ取り付けるとともに中央の２個の鳥害防止具１０間に２本のテグス２０を取り付けた状態を示す図である。
【発明を実施するための形態】
【００１０】
上記の目的を、電線を通して挿入するための開口部が形成されたリング状の取付部材の上面部に複数本の針状部材を間隔をもって取り付けるとともに、絶縁ヤットコで把持して間接活線作業により鳥害防止具を電線に取り付けるための板状部材を取付部材の下面部に取り付けることにより実現した。
【実施例１】
【００１１】
以下、本発明の鳥害防止具の実施例について図面を参照して説明する。
本発明の一実施例による鳥害防止具１０は、樹脂製のものであり、図１（ａ）に示すように、リング状の取付部材１１と、取付部材１１の上面部（上半分の部分）に間隔をもって取り付けられた３本の針状部材１２（トゲ）と、取付部材１１の下面部に取り付けられた逆台形板状の板状部材１３とを具備する。
【００１２】
ここで、取付部材１１の内径は、鳥害防止具１０を取り付ける縁廻り電線１の径と同じか少し小さくされている。たとえば、鳥害防止具１０を太さ２００ｓｑの縁廻り電線１に取り付ける場合には、取付部材１１の内径は２．１〜２．０ｃｍにされる。
取付部材１１の幅は、板状部材１３の上面の横幅＝２ｃｍ（図１（ｃ）参照）以上とされている。
取付部材１１の手前斜め下側には、縁廻り電線１を通して取付部材１１に挿入するための開口部１１ａが、取付部材１１を構成するリング部材の約１／４を切り取ることにより形成されている。
【００１３】
針状部材１２は、図１（ｂ）に示すように、長さ（高さ）＝２．５ｃｍおよび直径＝０．５ｃｍの円柱部と長さ（高さ）＝１．５ｃｍおよび底面の直径＝０．５ｃｍの円錐部とからなり、先が尖った形状をしている。
【００１４】
針状部材１２の円柱部の底面から１．５ｃｍの部分および円柱部と円錐部との境界部には、円板状のテグス取付部材１４が取り付けられている。
テグス取付部材１４には、テグス２０（図２（ｂ）参照）の端部を巻き付けたのちに挿入することによりテグス２０が解けることを防止するための直線状の切れ目１４ａが形成されている。
テグス取付部材１４を２個取り付けているのは、２本のテグス２０を張ることができるようにするためであるとともに、テグス２０を１本だけ張る場合にテグス位置の高さ調整ができるようにするためである。
【００１５】
板状部材１３は、絶縁ヤットコ（ホットスティック）で把持して間接活線作業により鳥害防止具１０を縁廻り電線１に取り付けるためのものである。
そのため、板状部材１３の表面および裏面は、絶縁ヤットコで把持した際に絶縁ヤットコが滑らないように、凹凸面にされている。また、板状部材１３は、図１（ｃ）に示すように、底面（逆台形の上辺側の面）の横幅＝１．５ｃｍ、上面（逆台形の下辺側の面）の横幅＝２ｃｍ、高さ（逆台形の高さ）＝２．５ｃｍ、底面の厚さ＝０．２ｃｍおよび上面の厚さ＝０．５ｃｍにされている。
【００１６】
鳥害防止具１０を縁廻り電線１に取り付ける際には、絶縁ヤットコで板状部材１３を把持し、取付部材１１の開口部１１ａの両端側の部分が縁廻り電線１に当接する位置まで鳥害防止具１０を移動させたのち、絶縁ヤットコで鳥害防止具１０を手前斜め下方に向けて引っ張って縁廻り電線１で開口部１１ａを広げることにより、縁廻り電線１を開口部１１ａに通して取付部材１１に挿入する。
鳥害防止具１０を縁廻り電線１に取り付けたのちは、取付部材１１の開口部１１ａが閉じるため、縁廻り電線１を取付部材１１によって確実に把持して鳥害防止具１０を縁廻り電線１に固定することができる。
【００１７】
以上のように構成された鳥害防止具１０を縁廻り電線１に取り付ける方法としては、たとえば、図２（ａ）に示すように５個の鳥害防止具１０を等間隔（たとえば、３ｃｍ間隔）で縁廻り電線１の長手方向に沿って取り付けてもよいし、図２（ｂ）に示すように図２（ａ）に示した５個の鳥害防止具１０のうち真中の鳥害防止具１０を省略して中央部の２個の鳥害防止具１０間に２本のテグス２０を張ってもよい（この場合には、２本のテグス２０のうちいずれか１本のみを張ってもよい。）。
また、図２（ｂ）に示した左右の２個の鳥害防止具１０を省略し、中央部の２個の鳥害防止具１０を少し左右にそれぞれずらして縁廻り電線１に取り付けて、この２個の鳥害防止具１０間に１本または２本のテグス２０を張ってもよい。
【００１８】
なお、縁廻り電線１の両端部に取り付けられている接続部カバー２は、構造上平均して４ｃｍ〜６ｃｍの幅を有しており、鳥が足で掴みにくいため、鳥害防止具１０を取り付けていなくても鳥が止まることはない。
【００１９】
以上の説明では、テグス取付部材１４が取り付けられた針状部材１２を用いたが、図２（ａ）に示したように隣接する鳥害防止具１０間にテグス２０を張らない場合には、テグス取付部材１４が取り付けられていない針状部材を用いてもよい。
【符号の説明】
【００２０】
１  縁廻り電線
２  接続部カバー
１０  鳥害防止具
１１  取付部材
１１ａ  開口部
１２  針状部材
１３  板状部材
１４  テグス取付部材
１４ａ  切れ目
２０  テグス
【図１】
0005602258.tif 000002
【図２】
0005602258.tif 000003